(57)【要約】【課題】音声出力回路による音声出力をミュートする音声ミュート回路を備えた電気機器において、音声出力回路への電源供給停止時のポップ音の発生を防止し、かつ、音声ミュート回路の構成を小型で安価なものとする。【解決手段】音声ミュート回路５は、音声出力回路である音声ＩＣへの電源供給の停止を検出する検出回路５１と、その検出結果に基づき、音声ＩＣのミュート端子３１にミュート信号を入力する入力回路５２とを備える。検出回路５１は音声ＩＣへの電源供給停止時に非導通状態となるフォトカプラ５３で構成され、その非導通時に入力回路５２がミュート信号を出力する。これにより、音声ＩＣへの電源供給停止後に音声出力回路が動作し続けたとしても、音声ＩＣによる音声出力をミュートさせて、ポップ音の発生を防止することができる。また、フォトカプラは小さく、かつ、安いので、音声ミュート回路５の構成を小型で安価なものとすることができる。【選択図】図３
2011114610.tif 000002
【特許請求の範囲】
【請求項１】
音声出力回路と、前記音声出力回路のミュート端子にミュート信号を入力し、該音声出力回路による音声出力をミュートする音声ミュート回路と、を備えた電気機器において、
前記音声ミュート回路は、
前記音声出力回路への電源供給の停止を検出する検出手段と、
前記検出手段による検出結果に基づき、前記ミュート端子にミュート信号を入力する入力手段と、を備え、
前記検出手段は、前記音声出力回路への供給電圧が印加される発光素子と、前記発光素子の点灯／消灯状態に応じて導通／非導通状態となるフォトトランジスタとにより構成されるフォトカプラを有し、
前記入力手段は、前記フォトトランジスタが非導通状態であるときにミュート信号を入力し、
前記音声出力回路への電源供給停止後に音声出力回路が動作し続けたとしても、音声出力回路による音声出力をミュートさせることを特徴とする電気機器。
【請求項２】
前記音声出力回路には、交流電圧が整流され、かつ、平滑化されて供給されており、
前記検出手段は、前記平滑化された供給電圧を該検出手段のフォトカプラに印加し、かつ、該供給電圧が所定値以下になると該印加電圧をグランドに引き込む電圧調整回路をさらに有することを特徴とする請求項１に記載の電気機器。
【請求項３】
前記電圧調整回路は、前記平滑化された供給電圧が逆電圧として印加されるツェナーダイオードを有することを特徴とする請求項２に記載の電気機器。
【請求項４】
前記音声出力回路は、該音声出力回路のミュート端子がグランドと同電位のＬｏｗレベルとなるときに音声出力をミュートするように構成されており、
前記入力手段は、ミュート信号としてＬｏｗレベルの信号を前記ミュート端子に入力するように構成されると共に、前記ミュート端子をグランドに引き込むためのプルダウン抵抗を有することを特徴とする請求項１乃至請求項３のいずれか一項に記載の電気機器。
【発明の詳細な説明】
【技術分野】
【０００１】
本発明は、音声出力回路による音声出力をミュートする音声ミュート回路を備えた電気機器に関する。
【背景技術】
【０００２】
従来から、音声出力回路と、音声出力回路による音声出力をユーザ操作等に基づいて適宜ミュートする音声ミュート回路とを備えた電気機器が知られている。音声出力回路はミュート端子を有し、そのミュート端子にミュート信号が入力されると音声出力をミュートする。このような電気機器においては、機器への電源供給が停止され、又は機器の電源スイッチがオフされると、音声出力回路が動作を停止する。ところが、音声出力回路の動作停止は、回路構成に起因して、当該回路への電源供給停止から遅れることがあるため、電源切断時における音声出力回路の状態の不安定さに起因してポップ音が鳴ることがある。
【０００３】
そこで、音声出力回路への電源供給停止をマイコン、又は、電源スイッチと連動して反転する連動スイッチにより検出し、その検出結果に基づいて、音声出力回路のミュート端子にミュート信号を入力し、電源供給停止時のポップ音の発生を防ぐ電気機器が知られている（例えば、特許文献１〜３を参照）。
【０００４】
しかしながら、音声ミュート回路に専用のマイコンを用いた場合には、マイコンが高価であるため、製造コストが高くなってしまう。また、音声ミュート回路に機器全体の制御用のマイコンを利用した場合には、ポート数の多いマイコンを利用しなければならなくなるため、高価なマイコンを使用しなければならないので、製造コストが高くなってしまう。さらにまた、連動スイッチは高価で、かつ、大きいので、電気機器は大きくなり、また、製造コストが高くなってしまう。そのため、音声出力及びそのミュート機能を有した電気機器において機器の小型化及び低コスト化が望まれていた。
【先行技術文献】
【特許文献】
【０００５】
【特許文献１】特開２００３−２０４５９１号公報
【特許文献２】特開平９−９８０３９号公報
【特許文献３】実開平５−４３６１３号公報
【発明の概要】
【発明が解決しようとする課題】
【０００６】
本発明は、上記の従来の問題を解決するためになされたものであり、音声出力回路による音声出力をミュートする音声ミュート回路を備えた電気機器において、音声出力回路への電源供給停止時のポップ音の発生を防止することができ、かつ、音声ミュート回路の構成を小型で安価なものとすることができる電気機器を提供することを目的とする。
【課題を解決するための手段】
【０００７】
上記目的を達成するために請求項１の発明は、音声出力回路と、前記音声出力回路のミュート端子にミュート信号を入力し、該音声出力回路による音声出力をミュートする音声ミュート回路と、を備えた電気機器において、前記音声ミュート回路は、前記音声出力回路への電源供給の停止を検出する検出手段と、前記検出手段による検出結果に基づき、前記ミュート端子にミュート信号を入力する入力手段と、を備え、前記検出手段は、前記音声出力回路への供給電圧が印加される発光素子と、前記発光素子の点灯／消灯状態に応じて導通／非導通状態となるフォトトランジスタとにより構成されるフォトカプラを有し、前記入力手段は、前記フォトトランジスタが非導通状態であるときにミュート信号を入力し、前記音声出力回路への電源供給停止後に音声出力回路が動作し続けたとしても、音声出力回路による音声出力をミュートさせるものである。
【０００８】
請求項２の発明は、請求項１に記載の電気機器において、前記音声出力回路には、交流電圧が整流され、かつ、平滑化されて供給されており、前記検出手段は、前記平滑化された供給電圧を該検出手段のフォトカプラに印加し、かつ、該供給電圧が所定値以下になると該印加電圧をグランドに引き込む電圧調整回路をさらに有するものである。
【０００９】
請求項３の発明は、請求項２に記載の電気機器において、前記電圧調整回路は、前記平滑化された供給電圧が逆電圧として印加されるツェナーダイオードを有するものである。
【００１０】
請求項４の発明は、請求項１乃至請求項３のいずれか一項に記載の電気機器において、前記音声出力回路は、該音声出力回路のミュート端子がグランドと同電位のＬｏｗレベルとなるときに音声出力をミュートするように構成されており、前記入力手段は、ミュート信号としてＬｏｗレベルの信号を前記ミュート端子に入力するように構成されると共に、前記ミュート端子をグランドに引き込むためのプルダウン抵抗を有するものである。
【発明の効果】
【００１１】
請求項１の発明によれば、音声出力回路への電源供給停止が音声ミュート回路の検出手段により検出され、その検出結果に基づいて音声出力がミュートされるので、音声出力回路への電源供給停止時のポップ音の発生を防止することができる。また、音声ミュート回路の検出手段はフォトカプラにより構成され、フォトカプラは小さく、かつ、安いので、回路構成を小型で安価なものとすることができる。
【００１２】
請求項２の発明によれば、供給される交流電圧が停止されても、音声出力回路への供給電圧は瞬時にゼロとはならず、徐々に低減してゆき、その供給電圧をフォトカプラに印加する電圧調整回路は、供給電圧が所定値以下になるとフォトカプラへの印加電圧をグランド電位とするので、フォトカプラによる電源供給停止の検出が早まり、従って、音声出力のミュートが早くなり、このため、ポップ音の発生を確実に防止することができる。
【００１３】
請求項３の発明によれば、電圧調整回路を簡単な構成とすることができる。
【００１４】
請求項４の発明によれば、音声出力回路よりも先に音声ミュート回路が動作を停止したとしても、音声出力回路のミュート端子のノードは浮くことがなく、プルダウン抵抗により確実にグランド電位とされるので、ポップ音の発生を確実に防ぐことができる。
【図面の簡単な説明】
【００１５】
【図１】本発明の一実施形態に係る電気機器の電気的ブロック図。
【図２】（ａ）は上記電気機器に電源が供給されているときに音声出力をミュートする場合のマイコンの動作を示す電気的ブロック図、（ｂ）は上記電気機器において電源供給が停止されたときの音声ミュート回路の動作を示す電気的ブロック図。
【図３】上記音声ミュート回路の回路図。
【図４】上記音声ミュート回路の入力電圧対出力電圧を示す図。
【発明を実施するための形態】
【００１６】
以下、本発明の一実施形態に係る電気機器について説明する。図１及び図２（ａ）（ｂ）は、本実施形態の電気機器の構成を示す。この電気機器１は、スピーカ２と、スピーカ２を用いて音声出力する音声ＩＣ３（音声出力回路）と、音声ＩＣ３による音声出力を所定の条件下でミュートするマイクロコンピュータ（以下、マイコンという）４及び音声ミュート回路５と、商用電源Ｐ１から電源コードを介して供給される交流電圧を整流する整流回路６と、整流回路６により整流して得られた脈流電圧を平滑化する平滑回路７とを備える。平滑回路７により平滑化して得られた直流電圧はスピーカ２、音声ＩＣ３、マイコン４及び音声ミュート回路５に供給される。電気機器１は、パーソナルコンピュータ、オーディオ機器、又はテレビジョン受信機等を含むが、これらに限定されない。
【００１７】
音声ＩＣ３は、ミュート端子３１を有し、その端子電圧がマイコン４又は音声ミュート回路５によりＬｏｗレベルにされるとミュート信号が入力されたと認識して音声ミュート状態となり、端子電圧がＨｉｇｈレベルにされると音声出力が可能な状態となる。上記Ｌｏｗレベルはグランドと略同じ電位とする。
【００１８】
マイコン４は、商用電源Ｐ１から電気機器１への給電中に、例えばユーザが操作部（図示せず）を操作してミュートを指示したとき等に、ミュート端子３１にミュート信号を入力する（図２（ａ）を参照）。
【００１９】
音声ミュート回路５は、商用電源Ｐ１から電気機器１への電源供給が停止されたときに、その停止を検知し、ミュート端子３１にミュート信号を入力する（図２（ｂ）を参照）。これにより、電気機器１への電源供給停止後に音声ＩＣ３が動作し続けたとしても、音声ＩＣ３による音声出力はミュートされる。
【００２０】
また、音声ミュート回路５は、商用電源Ｐ１から電気機器１への給電停止を、平滑回路７から音声ＩＣ３への電圧供給停止を検出することにより検知する。平滑回路７から音声ＩＣ３への給電系統は音声ミュート回路５へと分岐し、音声ＩＣ３への供給電圧が音声ミュート回路５に入力されている。
【００２１】
また、音声ミュート回路５は、マイコン４とミュート端子３１との間に配置されており、電気機器１が給電されている間は、マイコン４から送出されるミュート信号、又は音声出力を許可する信号をミュート端子３１に転送する。なお、図１に示す端子Ｔ１、Ｔ２は、後述する図３のそれらと対応している。
【００２２】
図３は音声ミュート回路５の回路構成を示す。音声ミュート回路５は、音声ＩＣ３への供給電圧が端子Ｔ１を介して入力され、その供給停止を検出する検出回路５１（検出手段）と、検出回路５１による検出結果に基づき、ミュート信号をミュート端子３１に入力する入力回路５２（入力手段）とを備える。入力回路５２はミュート端子３１に電圧を出力する。
【００２３】
検出回路５１は、端子Ｔ１への入力電圧が印加されるフォトカプラ５３と、上記印加電圧を調整する電圧調整回路５４とを有する。フォトカプラ５３は、印加電圧に応じて点灯／消灯する発光素子５３ａと、発光素子５３ａの点灯／消灯状態に応じて導通／非導通状態になるフォトトランジスタ５３ｂとにより構成される。
【００２４】
電圧調整回路５４は、端子Ｔ１への入力電圧に応じてスイッチング動作するｐｎｐ型のトランジスタＴｒ１と、トランジスタＴｒ１からフォトカプラ５３に出力される電圧を所定値で略一定に保つためのツェナーダイオードＺＤ１と、抵抗Ｒ１〜Ｒ４と、トランジスタＴｒ１の保護用のダイオードＤ１とを有する。トランジスタＴｒ１においては、端子Ｔ１の入力電圧が分圧されてスイッチング制御信号としてベースに入力され、また、上記入力電圧が駆動電圧としてエミッタに印加されており、コレクタから電圧をフォトカプラ５３に出力する。コレクタはツェナーダイオードＺＤ１を介して接地されており、ツェナーダイオードＺＤ１はコレクタの出力電圧が逆方向に印加されている。
【００２５】
抵抗Ｒ１、Ｒ２は、端子Ｔ１とグランドとの間で直列に接続され、その接続点がトランジスタＴｒ１のベースに接続されている。抵抗Ｒ３は、トランジスタＴｒ１の導通時にツェナーダイオードＺＤ１に流れる電流を制限し、ツェナーダイオードＺＤ１を保護するための抵抗であり、端子Ｔ１とトランジスタＴｒ１のエミッタとの間に設けられている。抵抗Ｒ４は、ツェナーダイオードＺＤ１により略一定にされた電圧をフォトカプラ５３の駆動に適した値にまで降下させるための抵抗であり、トランジスタＴｒ１のコレクタとフォトカプラ５３との間に接続されている。
【００２６】
ところで、音声ＩＣ３への供給電圧は、交流電圧が整流、平滑化された直流電圧であり、交流電圧の供給が停止されたとしても、供給電圧は瞬時にゼロとはならない。そこで、検出回路５１には、上記供給電圧が所定値（以下、下限電圧という）以下になるとフォトカプラ５３への印加電圧を強制的にグランド電位としてフォトカプラ５３を非導通状態とするツェナーダイオードＺＤ２が設けられている。上記の下限電圧は、音声ＩＣ３の駆動に必要な電圧よりも高いことが望ましい。
【００２７】
ツェナーダイオードＺＤ２は、抵抗Ｒ１と、抵抗Ｒ１・Ｒ２間の接続点との間に複数、互いに直列接続されて介在しており、これらツェナーダイオードＺＤ２には端子Ｔ１への入力電圧が逆電圧として印加されている。各ツェナーダイオードＺＤ２には降伏電圧が予め設定されており、それらの総和が上述の下限電圧と略等しい。
【００２８】
ツェナーダイオードＺＤ２では、端子Ｔ１への入力電圧がツェナーダイオードＺＤ２の降伏電圧の総和以上であるとき、入力電圧の値に関係なく、上記総和の電圧降下が生じる。しかしながら、端子Ｔ１への入力電圧が上記総和よりも低くなると、ツェナーダイオードＺＤ２には殆んど電流が流れず、電圧降下が発生しない。そのため、トランジスタＴｒ１のベース電位は抵抗Ｒ２を介してグランド電位とされ、従って、トランジスタＴｒ１は非導通状態となり、これにより、フォトカプラ５３への印加電圧がグランドに引き込まれ、フォトカプラ５３は非導通状態となる。なお、ツェナーダイオードＺＤ２は降伏電圧の総和を調整するため製造段階で任意に取替え可能であり、図示にされた数に限定されず、１個だけであってもよい。
【００２９】
入力回路５２は、フォトトランジスタ５３ｂが非導通状態であるときにミュート端子３１にミュート信号を入力するｎｐｎ型のトランジスタＴｒ２を有する。トランジスタＴｒ２のベースにはフォトトランジスタ５３ｂのエミッタから信号が入力され、コレクタにはマイコン４から端子Ｔ２を介して信号が入力される。トランジスタＴｒ２は、それら入力信号に応じてエミッタからミュート端子３１に各種信号を出力する。この各種信号に含まれるミュート信号はグランドと略電位の信号であり、入力回路５２は、電気機器１への給電停止時にミュート端子３１を確実にグランドに引き込むためのプルダウン抵抗Ｒ５を有する。プルダウン抵抗Ｒ５は一端がミュート端子３１に接続され、他端が接地されている。
【００３０】
フォトトランジスタ５３ｂは、コレクタに駆動電圧が端子Ｔ３及び抵抗Ｒ６を介して印加され、エミッタが抵抗Ｒ７を介して接地されている。フォトトランジスタ５３ｂとトランジスタＴｒ２との間にはトランジスタＴｒ２のベース電流を適正化する抵抗Ｒ８が配設されている。
【００３１】
次に、音声ミュート回路５の動作を説明する。図４は、音声ミュート回路５における入力電圧対出力電圧を示す。商用電源Ｐ１から電気機器１が給電されているとき、端子Ｔ１には、ツェナーダイオードＺＤ２の降伏電圧の総和Ｖ１以上の電圧が駆動電圧として入力されている。上記降伏電圧の総和Ｖ１は例えば８０［Ｖ］程度とし、入力電圧が例えば１４０［Ｖ］程度とするが、これに限定されない。このとき、ツェナーダイオードＺＤ２で降伏電圧分の電圧降下が生じ、トランジスタＴｒ１のエミッタ−ベース間に電圧が印加され、トランジスタＴｒ１は導通状態となる。これにより、ツェナーダイオードＺＤ１には降伏電圧以上の電圧が印加され、発光素子５３ａが通電され、点灯する。従って、フォトトランジスタ５３ｂが、次いで、トランジスタＴｒ２が導通状態となる。この状態では、マイコン４から端子Ｔ２に入力される、Ｌｏｗレベルのミュート信号も、音声出力を許可するＨｉｇｈレベル信号もトランジスタＴｒ２を通ってミュート端子３１に送出される。
【００３２】
ここで、例えば電気機器１の電源コードがコンセントから抜かれ、商用電源Ｐ１からの交流電圧供給が停止されたとする。このとき、端子Ｔ１に入力される直流電圧は瞬時にゼロとはならず、徐々に低下する。そして、その直流電圧が上記降伏電圧の総和Ｖ１よりも低くなると、ツェナーダイオードＺＤ２には殆んど電流が流れず、電圧降下が発生しなくなる。従って、トランジスタＴｒ１のエミッタ−ベース間に電圧が印加されなくなり、トランジスタＴｒ１は非導通状態となる。このため、トランジスタＴｒ１のコレクタ電位はグランドと略等しくなり、発光素子５３ａへの通電が停止し、発光素子５３ａは消灯する。この消灯に伴い、フォトトランジスタ５３ｂは非導通状態となり、トランジスタＴｒ２も非導通状態となり、ミュート端子３１にＬｏｗレベルのミュート信号が出力される。この状態で、プルダウン抵抗Ｒ５は、ミュート端子３１のノードが浮いて不安定となることを防ぎ、ミュート端子３１をグランド電位、すなわち、Ｌｏｗレベルとする。
【００３３】
上記のように構成された本実施形態においては、音声ＩＣ３への電圧供給停止が検出回路５１により検出され、その検出結果に基づいて入力回路５２が音声ＩＣ３による音声出力をミュートするので、音声ＩＣ３への電圧供給停止時のポップ音の発生を防止することができる。また、検出回路５１はフォトカプラ５３により構成され、フォトカプラ５３は、従来の検出回路に用いられていたマイコン又は連動スイッチと比べて、小さく、かつ、安いので、回路構成を小型で安価なものとすることができる。
【００３４】
また、商用電源Ｐ１からの交流電圧が整流、平滑化されて音声ＩＣ３に印加されているので、例えば電源コードが抜かれ、交流電圧の供給が停止されたとしても、音声ＩＣ３への供給電圧は瞬時にゼロとはならず、徐々に低減してゆく。その供給電圧をフォトカプラ５３に印加する電圧調整回路５４は供給電圧が所定値以下になるとフォトカプラ５３への印加電圧をグランド電位とする。従って、フォトカプラ５３による電圧供給停止の検出が早まり、このため、音声出力のミュートが早くなり、結果として、ポップ音の発生を確実に防止することができる。
【００３５】
また、電圧調整回路５４はツェナーダイオードＺＤ２により構成されるので、回路構成を簡単なものとすることができる。また、音声ＩＣ３よりも先に音声ミュート回路５が動作を停止したとしても、音声ＩＣ３のミュート端子のノードは浮くことがなく、プルダウン抵抗Ｒ５により確実にグランド電位とされるので、ポップ音の発生を確実に防ぐことができる。
【００３６】
また、フォトカプラ５３は、発光素子５３ａに電流が流れてその出力光が所定値以上となれば導通状態となり、所定値以下となれば非導通状態となり、また、発光素子５３ａとフォトトランジスタ５３ｂとの間が電気的に絶縁されているので、入力回路５２は発光素子５３ａ側の回路の影響を受け難い。このため、入力回路５２による音声出力ミュート動作を確実に行うことができる。
【００３７】
なお、本発明は、上記の実施形態の構成に限定されるものでなく、使用目的に応じ、様々な変形が可能である。例えば、トランジスタＴｒ１、Ｔｒ２の替わりに、ＦＥＴ等のスイッチング素子が設けられていてもよい。また、フォトトランジスタ５３ｂのコレクタに端子Ｔ２が、また、エミッタにミュート端子３１が繋がれて、抵抗Ｒ６〜Ｒ８が省かれていてもよい。
【符号の説明】
【００３８】
１  電気機器
３  音声ＩＣ（音声出力回路）
３１  ミュート端子
５  音声ミュート回路
５１  検出回路（検出手段）
５２  入力回路（入力手段）
５３  フォトカプラ
５３ａ  発光素子
５３ｂ  フォトトランジスタ
ＺＤ２  ツェナーダイオード
Ｒ５  プルダウン抵抗
【図１】
2011114610.tif 000003
【図２】
2011114610.tif 000004
【図３】
2011114610.tif 000005
【図４】
2011114610.tif 000006